(57)【特許請求の範囲】
【請求項１】
筐体内にスライドトレイが前後方向出退可能に配置されると共に、該スライドトレイ上に複数のディスク載置部を有するロータリートレイが回転可能に配置され、駆動機構によりスライドトレイに対して接近離間されるターンテーブル付きスピンドルモータ及び光ピックアップが筐体内に配置され、前記ターンテーブルに対向するクランパを支持するチャックアームの両端部が前記スライドトレイに連結されており、前記駆動機構を駆動してスライドトレイ側に移動させたターンテーブルとクランパとによりディスクをチャッキングし、スピンドルモータを駆動してターンテーブルを回転させ、光ピックアップをディスクの半径方向に移動させようにしたディスクプレーヤーにおいて、前記チャックアームの両端部をスライドトレイに一定範囲内移動可能に連結する一対の連結機構が設けられており、その一方の連結機構が、前記チャックアームの先端部及びロータリートレイの中心部を移動可能に貫通してスライドトレイに係止された支軸の端部に設けたストッパーとチャックアームの先端部との間の間隙に介在されてそのチャックアームの先端部をロータリートレイの中心部に押し付けるばねを有し、その他方の連結機構が、チャックアームの後端部に所定間隔をおいて対称形に一体突設された弾性変形可能な一対の略Ｌ字状弾性アームを有し、スライドトレイの側板部に突設した３つの突起部のうちの中央の突起部に前記両弾性アーム間のスリットを嵌合させると共に、残りの２つの突起部に両弾性アームの先端部を係合させることにより、チャックアームの後端部をスライドトレイの側板部に係止するようにしたことを特徴とするディスクプレーヤー。
【請求項２】
筐体内にディスク載置用スライドトレイが前後方向出退可能に配置され、駆動機構によりスライドトレイに対して接近離間されるターンテーブル付きスピンドルモータ及び光ピックアップが筐体内に配置され、前記ターンテーブルに対向するクランパを支持するチャックアームの両端部が前記スライドトレイに連結されており、前記駆動機構を駆動してスライドトレイ側に移動させたターンテーブルとクランパとによりディスクをチャッキングし、スピンドルモータを駆動してターンテーブルを回転させ、光ピックアップをディスクの半径方向に移動させようにしたディスクプレーヤーにおいて、前記チャックアームの両端部が連結機構を介してスライドトレイに一定範囲内移動可能に連結されていることを特徴とするディスクプレーヤー。
【請求項３】
前記連結機構が、前記チャックアームの端部を移動可能に貫通してスライドトレイに係止された支軸の端部に設けたストッパーとチャックアームの端部との間の間隙に介在されてそのチャックアームの端部をスライドトレイに押し付けるばねを有していること特徴とする請求項２記載のディスクプレーヤー。
【請求項４】
前記連結機構が、前記チャックアームの端部に一体突設された弾性変形可能な弾性アームを有し、該弾性アームの先端部をスライドトレイに突設した突起部に係合させることにより、チャックアームの端部をスライドトレイに係止するようにしたことを特徴とする請求項２記載のディスクプレーヤー。
【請求項５】
前記弾性アームが略Ｌ字状に形成されて所定間隔をおいて対称形に一対設けられると共に、前記突起部が所定間隔をおいて３つ設けられており、その３つの突起部のうちの中央の突起部に前記両弾性アーム間のスリットを嵌合させると共に、残りの２つの突起部に両弾性アームの先端部を係合させることにより、チャックアームの端部をスライドトレイに係止するようにしたことを特徴とする請求項４記載のディスクプレーヤー。
【発明の詳細な説明】
【０００１】
【発明の属する技術分野】
本発明は、例えばＤＶＤ（Ｄｉｇｉｔａｌ  Ｖｅｒｓａｔｉｌ  Ｄｉｓｃ）などのターンテーブルが落下の際の衝撃で位置ずれしないようにしたディスクプレーヤーに関する。
【０００２】
【従来の技術】
ディスクプレーヤーの一例として図４に示すものがある。これは、ディスクチェンジャー型であって、筐体１内にスライドトレイ２が前後方向ａ，ｂに出退可能に配置されると共に、該スライドトレイ２上に複数のディスク載置部３ａを有するロータリートレイ３が矢印ｃ方向に回転可能に配置され、図５に示すように、一端部を枢支軸４に揺動可能に枢支させ他端部にカムフロア５を設けた揺動アーム７ａと、外周面に形成したカム溝６をカムフロア５に係合させた回転カム７ｂとを有する駆動機構７が設けられ、前記揺動アーム７ａにスピンドルモータ９が固定されると共に、該スピンドルモータ９の駆動軸９ａにターンテーブル８が嵌着され、揺動アーム７ａに光ピックアップ１０が移動可能に配置され、ターンテーブル８に対向するクランパ１１を一定範囲内上下動可能に支持するチャックアーム１２の両端部１２ａ，１２ｂがスライドトレイ２に連結されている。
【０００３】
従来、前記チャックアーム１２の連結構造としては、実開平１−１１６９４７号公報などに記載したものがあり、その一例を図５に基づいて説明すると、チャックアーム１２の先端部１２ａ及びロータリートレイ３の中心部３ｂを移動可能に貫通してスライドトレイ２にナット１４により係止したボルト（支軸）１５の頭部（ストッパー）１５ａを該チャックアーム１２の先端部１２ａに当接させることにより、そのチャックアーム１２の先端部１２ａをスライドトレイ２に係止し、また、チャックアーム１２の後端部１２ｂに形成した凹部１６をスライドトレイ２の側板部２ａに嵌合させると共に、該後端部１２ｂに形成した係合片１７を側板部２ａに一体突設した突起部１８に嵌め殺し状に係合させることにより、そのチャックアーム１２の後端部１２ｂをスライドトレイ２の側板部２ａに係止している。
【０００４】
上記構成において、図５に示すように、回転カム７ｂを回転させてカム溝６及びカムフロア５を介して揺動アーム７ａを上動させることにより、スライドトレイ２側に移動させたターンテーブル８とクランパ１１とによりディスクＤをチャッキングし、スピンドルモータ９を駆動してターンテーブル８を回転させ、光ピックアップ１０をディスクＤの半径方向に移動させることにより、例えばディスクＤに記録されている情報を光ピックアップ１０により読み取って再生するようになっている。
【０００５】
【発明が解決しようとする課題】
上記従来の構成では、クランパ１１を支持するチャックアーム１２がスライドトレイ２に変位不能に係止されているので、筐体１を落下テストやユーザが誤って落下させたときの衝撃でターンテーブル８にスピンドルモータ９や光ピックアップ１０などの重量がかかり、それによる衝撃力Ｐでターンテーブル８がクランパ１１に衝撃的に押し付けられると、その衝撃力Ｐによりターンテーブル８が強制的に押し込まれて、該ターンテーブル８の位置がずれるおそれがあり、その位置ずれにより、ターンテーブル８上にチャッキングしたディスクＤと光ピックアップ１０との間の間隔が設計値から変わり、その光ピックアップ１０によるフォーカスのピントがずれて読み取り誤差が生じることになる。
【０００６】
本発明は、上記従来の欠点に鑑み、ターンテーブルが落下の際の衝撃で位置ずれしないようにしたディスクプレーヤーを提供することを目的としている。
【０００７】
【課題を解決するための手段】
上記目的を達成するため、請求項１記載の発明は、筐体内にスライドトレイが前後方向出退可能に配置されると共に、該スライドトレイ上に複数のディスク載置部を有するロータリートレイが回転可能に配置され、駆動機構によりスライドトレイに対して接近離間されるターンテーブル付きスピンドルモータ及び光ピックアップが筐体内に配置され、前記ターンテーブルに対向するクランパを支持するチャックアームの両端部が前記スライドトレイに連結されており、前記駆動機構を駆動してスライドトレイ側に移動させたターンテーブルとクランパとによりディスクをチャッキングし、スピンドルモータを駆動してターンテーブルを回転させ、光ピックアップをディスクの半径方向に移動させようにしたディスクプレーヤーにおいて、前記チャックアームの両端部をスライドトレイに一定範囲内移動可能に連結する一対の連結機構が設けられており、その一方の連結機構が、前記チャックアームの先端部及びロータリートレイの中心部を移動可能に貫通してスライドトレイに係止された支軸の端部に設けたストッパーとチャックアームの先端部との間の間隙に介在されてそのチャックアームの先端部をロータリートレイの中心部に押し付けるばねを有し、その他方の連結機構が、チャックアームの後端部に所定間隔をおいて対称形に一体突設された弾性変形可能な一対の略Ｌ字状弾性アームを有し、スライドトレイの側板部に突設した３つの突起部のうちの中央の突起部に前記両弾性アーム間のスリットを嵌合させると共に、残りの２つの突起部に両弾性アームの先端部を係合させることにより、チャックアームの後端部をスライドトレイの側板部に係止するようにしたことを特徴としている。
【０００８】
上記構成によれば、ばねによりチャックアームの先端部をスライドトレイに押し付けて確実に係止することができ、また、一対の略Ｌ字状弾性アーム間のスリットをスライドトレイの側板部に突設した中央の突起部に嵌合させることにより、チャックアームの後端部をスライドトレイの側板部に位置決めすることができると共に、該両弾性アームの先端部を両側の２つの突起部に係合させることにより、チャックアームの後端部をスライドトレイの側板部に確実に係止することができる。
【０００９】
しかも、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、前記ばねを圧縮してチャックアームの先端部の変位を許容すると共に、弾性アームを弾性変形させてチャックアームの後端部の変位を許容して、その衝撃力を緩和するので、従来のようにターンテーブルが強制的に押し込まれて位置ずれすることがなく、そのターンテーブル上のディスクと光ピックアップとの間の間隔を設計値通りに精密に維持することができる。
【００１０】
請求項２記載の発明は、筐体内にディスク載置用スライドトレイが前後方向出退可能に配置され、駆動機構によりスライドトレイに対して接近離間されるターンテーブル付きスピンドルモータ及び光ピックアップが筐体内に配置され、前記ターンテーブルに対向するクランパを支持するチャックアームの両端部が前記スライドトレイに連結されており、前記駆動機構を駆動してスライドトレイ側に移動させたターンテーブルとクランパとによりディスクをチャッキングし、スピンドルモータを駆動してターンテーブルを回転させ、光ピックアップをディスクの半径方向に移動させようにしたディスクプレーヤーにおいて、前記チャックアームの両端部が連結機構を介してスライドトレイに一定範囲内移動可能に連結されていることを特徴としている。
【００１１】
上記構成によれば、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、チャックアームの両端部をスライドトレイに連結する連結機構が該チャックアームの変位を許容して、その衝撃力を緩和するので、従来のようにターンテーブルが強制的に押し込まれて位置ずれすることがなく、そのターンテーブル上のディスクと光ピックアップとの間の間隔を設計値通りに精密に維持することができる。
【００１２】
請求項３記載の発明は、請求項２記載の発明において、前記連結機構が、前記チャックアームの端部を移動可能に貫通してスライドトレイに係止された支軸の端部に設けたストッパーとチャックアームの端部との間の間隙に介在されてそのチャックアームの端部をスライドトレイに押し付けるばねを有していること特徴としている。
【００１３】
上記構成によれば、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、ばねを圧縮してチャックアームの変位を許容し、その衝撃力を緩和するので、従来のように衝撃力によりターンテーブルが強制的に押し込まれて位置ずれすることがなく、そのターンテーブル上のディスクと光ピックアップとの間の間隔を設計値通りに精密に維持することができる。
【００１４】
請求項４記載の発明は、請求項２記載の発明において、前記連結機構が、前記チャックアームの端部に一体突設された弾性変形可能な弾性アームを有し、該弾性アームの先端部をスライドトレイに突設した突起部に係合させることにより、チャックアームの端部をスライドトレイに係止するようにしたことを特徴としている。
【００１５】
上記構成によれば、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、弾性アームを弾性変形させてチャックアームの変位を許容し、その衝撃力を緩和するので、従来のように衝撃力によりターンテーブルが強制的に押し込まれて位置ずれすることがなく、そのターンテーブル上のディスクと光ピックアップとの間の間隔を設計値通りに精密に維持することができる。
【００１６】
請求項５記載の発明は、請求項４記載の発明において、前記弾性アームが略Ｌ字状に形成されて所定間隔をおいて対称形に一対設けられると共に、前記突起部が所定間隔をおいて３つ設けられており、その３つの突起部のうちの中央の突起部に前記両弾性アーム間のスリットを嵌合させると共に、残りの２つの突起部に両弾性アームの先端部を係合させることにより、チャックアームの端部をスライドトレイに係止するようにしたことを特徴としている。
【００１７】
上記構成によれば、一対の略Ｌ字状弾性アーム間のスリットをスライドトレイに突設した中央の突起部に嵌合させることにより、チャックアームの端部をスライドトレイに位置決めすることができると共に、該両弾性アームの先端部を両側の２つの突起部に係合させることにより、チャックアームの端部をスライドトレイに確実に係止することができる。
【００１８】
【発明の実施の形態】
図１から図３は本発明のディスクプレーヤーの要部を示すものであって、硬質合成樹脂製チャックアーム１２の両端部１２ａ，１２ｂを硬質合成樹脂製スライドトレイ２に一定範囲内移動可能に連結する一対の連結機構２０，２１が設けられている。上記以外の構成は図４及び図５に示す構成とほぼ同じであるから、同一部分に同一符号を付してその説明を省略する。
【００１９】
前記一方の連結機構２０は、図１に示すように、チャックアーム１２の先端部１２ａ及びロータリートレイ３の中心部３ｂを移動可能に貫通してスライドトレイ２にナット１４により係止したボルト（支軸）１５の頭部（ストッパー）１５ａとチャックアーム１２の先端部１２ａとの間の間隙αに介在されてボルト１５に巻回されるばね２０ａを有し、そのばね２０ａによりチャックアーム１２の先端部１２ａをロータリートレイ３の中心部３ｂに押し付けている。
【００２０】
上記構成によれば、ばね２０ａによりチャックアーム１２の先端部１２ａをターンテーブル８の中心部３ｂに押し付けているので、そのチャックアーム１２の先端部１２ａを不測に変位しないようにスライドトレイ２に確実に係止することができる。
【００２１】
前記他方の連結機構２１は、図２及び図３に示すように、チャックアーム１２の後端部１２ｂの上端から後方に突出する突起片２３に所定間隔をおいて対称形に一体突設された弾性変形可能な一対の略Ｌ字状弾性アーム２１ａを有し、該両弾性アーム２１ａ間のスリットβをスライドトレイ２の側板部２ａに所定間隔をおいて突設した３つの突起部１８ａ〜１８ｃのうちの中央の突起部１８ｂに嵌合させると共に、その両弾性アーム２１ａの先端部を残りの２つの突起部１８ａ，１８ｃに係合させることにより、チャックアーム１２の後端部１２ｂと両弾性アーム２１ａとの間の凹部１６をスライドトレイ２の側板部２ａに嵌合させて、該チャックアーム１２の後端部１２ｂをスライドトレイ２の側板部２ａに係止している。
【００２２】
上記構成によれば、一対の略Ｌ字状弾性アーム２１ａ間のスリットβを中央の突起部１８ｂに嵌合させることにより、チャックアーム１２の後端部１２ｂをスライドトレイ２の側板部２ａに位置決めすることができると共に、該両弾性アーム２１ａの先端部を両側の２つの突起部１８ａ，１８ｃに係合させることにより、チャックアーム１２の後端部１２ｂをスライドトレイ２の側板部２ａに確実に係止することができ、これによって、そのチャックアーム１２に支持されたクランパ１１とターンテーブル８とによりディスクＤを確実にチャッキングすることができる。
【００２３】
また、弾性アーム２１ａと突起部１８ａ〜１８ｃとがそれぞれチャックアーム１２とスライドトレイ２とに一体形成されているから、部品点数が増加せず、製作費が安くつく。
【００２４】
上記構成において、筐体１を落下テストやユーザが誤って落下させたときには、その衝撃でターンテーブル８にスピンドルモータ９や光ピックアップ１０などの重量がかかり、それによる衝撃力Ｐでターンテーブル８がクランパ１１に衝撃的に押し付けられても、ばね２０ａを圧縮してチャックアーム１２の先端部１２ａが変位するするのを許容する〔図１仮想線参照〕と共に、弾性アーム２１ａを弾性変形させて〔図２（ｂ）参照〕、チャックアーム１２の後端部１２ｂが変位するのを許容するので、ターンテーブル８にかかる衝撃力Ｐが緩和され、従来のようにターンテーブル８が強制的に押し込まれて位置ずれすることがなく、そのターンテーブル８上のディスクＤと光ピックアップ１０との間の間隔が設計値通りに精密に維持される。
【００２５】
上記の実施の形態では、２種類の連結機構２０，２１を用いてチャックアーム１２の両端部１２ａ，１２ｂをスライドトレイ２に係止するようにしたが、その一方の連結機構２０（または２１）だけでチャックアーム１２の両端部１２ａ，１２ｂをスライドトレイ２に係止するようにしてもよい。
【００２６】
また、複数のディスクＤを載置するディスクチェンジャー型ディスクプレーヤーを例にあげて説明したが、これに限定されるわけではなく、１枚のディスクＤを載置するシングル型ディスクプレーヤーにも適用することができる。
【００２７】
【発明の効果】
請求項１に記載の発明によれば、ばねによりチャックアームの先端部をスライドトレイに押し付けて確実に係止することができ、また、一対の略Ｌ字状弾性アーム間のスリットをスライドトレイの側板部に突設した中央の突起部に嵌合させることにより、チャックアームの後端部をスライドトレイの側板部に位置決めすることができると共に、該両弾性アームの先端部を両側の２つの突起部に係合させることにより、チャックアームの後端部をスライドトレイの側板部に確実に係止することができる。
【００２８】
しかも、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、前記ばねを圧縮してチャックアームの先端部の変位を許容すると共に、弾性アームを弾性変形させてチャックアームの後端部の変位を許容して、その衝撃力を緩和するので、従来のようにターンテーブルが強制的に押し込まれて位置ずれすることがなく、そのターンテーブル上のディスクと光ピックアップとの間の間隔を設計値通りに精密に維持することができる。
【００２９】
請求項２記載の発明によれば、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、チャックアームの両端部をスライドトレイに連結する連結機構が該チャックアームの変位を許容して、その衝撃力を緩和するので、従来のようにターンテーブルが強制的に押し込まれて位置ずれすることがなく、そのターンテーブル上のディスクと光ピックアップとの間の間隔を設計値通りに精密に維持することができる。
【００３０】
請求項３記載の発明によれば、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、ばねを圧縮してチャックアームの変位を許容し、その衝撃力を緩和するので、従来のように衝撃力によりターンテーブルが強制的に押し込まれて位置ずれすることがなく、そのターンテーブル上のディスクと光ピックアップとの間の間隔を設計値通りに精密に維持することができる。
【００３１】
請求項４記載の発明によれば、筐体を落下テストやユーザが誤って落下させたときの衝撃でターンテーブルにスピンドルモータや光ピックアップなどの重量がかかり、それによる衝撃力でターンテーブルがクランパに衝撃的に押し付けられても、弾性アームを弾性変形させてチャックアームの変位を許容し、その衝撃力を緩和するので、従来のように衝撃力によりターンテーブルが強制的に押し込まれて位置ずれすることがなく、そのターンテーブル上のディスクと光ピックアップとの間の間隔を設計値通りに精密に維持することができる。
【００３２】
請求項５記載の発明によれば、一対の略Ｌ字状弾性アーム間のスリットをスライドトレイに突設した中央の突起部に嵌合させることにより、チャックアームの端部をスライドトレイに位置決めすることができると共に、該両弾性アームの先端部を両側の２つの突起部に係合させることにより、チャックアームの端部をスライドトレイに確実に係止することができる。
【図面の簡単な説明】
【図１】  本発明の実施の一形態であるディスクプレーヤーの要部の縦断面図である。
【図２】  （ａ）は同チャックアームの係止状態を示す要部の側面図、（ｂ）は同チャックアームの変位状態を示す要部の側面図である。
【図３】  同要部の分解斜視図である。
【図４】  ディスクチェンジャー型ディスクプレーヤーの平面図である。
【図５】  従来例を示す要部の縦断面図である。
【符号の説明】
１        筐体
２        スライドトレイ
２ａ      スライドトレイの側板部
３        ロータリートレイ
３ｂ      ロータリートレイの中心部
７        駆動機構
８        ターンテーブル
９        スピンドルモータ
１０      光ピックアップ
１１      クランパ
１２      チャックアーム
１２ａ    チャックアームの先端部
１２ｂ    チャックアームの後端部
１５      ボルト（支軸）
１５ａ    ボルトの頭部（ストッパー）
２０      一方の連結機構
２０ａ    ばね
２１      他方の連結機構
２１ａ    弾性アーム
α        間隙
β        スリット
Ｄ        ディスク
【図１】
0003648706.tif 000002
【図２】
0003648706.tif 000003
【図３】
0003648706.tif 000004
【図４】
0003648706.tif 000005
【図５】
0003648706.tif 000006